(57)【要約】【課題】家具のコーナー部を床面にピタッと貼着し、地震時の縦揺れおよび横揺れに強い家具類のコーナー受け具を提供する。【解決手段】受け具本体１が、平面視で直角三角形状のベース２と、ベース２の直交する二つの辺に沿って立ち上がる平面視で鉤型の縦壁３とを含む。ベース２および縦壁３は、高粘着性のエラストマーで一体に成形されている。受け具本体１の縦壁３の縦向きの外表面に非粘着性カバー７を貼ってあり、この非粘着性カバー７で縦壁３の外表面に塵埃が直にくっ付かないようにしてある。【選択図】図１
0003117256.tif 000002
【実用新案登録請求の範囲】
【請求項１】
受け具本体（１）が、平面視で直角三角形状のベース（２）と、ベース（２）の直交する二つの辺に沿って立ち上がる平面視で鉤型の縦壁（３）とを含み、
ベース（２）および縦壁（３）が、高粘着性のエラストマーで一体に成形されている家具類のコーナー受け具。
【請求項２】
受け具本体（１）の縦向きの外表面に、少なくとも前記縦壁（３）を覆うプラスチック・シート製の非粘着性カバー（７）が付設されている請求項１記載の家具類のコーナー受け具。
【請求項３】
前記非粘着性カバー（７）が、受け具本体（１）に一体にインサート成形されている請求項２記載の家具類のコーナー受け具。
【請求項４】
受け具本体（１）の縦向きの外表面に、少なくとも前記縦壁（３）を覆うよう鉤形に形成された硬質プラスチック製の保形部材（８）が不離一体に配されている請求項１記載の家具類のコーナー受け具。
【請求項５】
前記保形部材（８）が、受け具本体（１）の縦向きの外表面に位置する鉤形の保形部材本体（８ａ）と、保形部材本体（８ａ）の下端につながる底板（９）とを含み、
受け具本体（１）のベース（２）の上下厚み方向の中間に、前記底板（９）が位置しており、
受け具本体（１）に前記保形部材（８）がインサート成形されている請求項４記載の家具類のコーナー受け具。
【考案の詳細な説明】
【技術分野】
【０００１】
本考案は、たんすや本棚などの家具類のコーナー部を下面側から受け止めて、地震時などに家具類のズレ動きや転倒を防止する家具類のコーナー受け具に関する。
【背景技術】
【０００２】
この種のコーナー受け具において、受け具本体が平面視で直角三角形状のベースと、ベースの直交する二つの辺に沿って立ち上がる平面視で鉤型の縦壁とを含む形態は、特許文献１に公知である。特許文献１では、家具類のコーナー部の直交面に鉤型の縦壁を当て付けることで、コーナー受け具の前後左右方向への位置ズレ防止を図っており、そこではコーナー受け具の下面が両面粘着剤で床面に固定されている。
【０００３】
【特許文献１】登録実用新案第３０２１１３６号公報（段落番号００１２、００１３、図５）
【考案の開示】
【考案が解決しようとする課題】
【０００４】
特許文献１のコーナー受け具は、単なる平板状ないし断面Ｌ字状のものに比べて水平方向の横揺れには強いが、なお縦揺れには弱く、このままでは耐震効果を十二分に発揮できない。その受け具本体は、下面側が両面粘着剤で床面に固定されているが、家具と受け具本体とが接着されていないからである。これを解消するため、家具とコーナー受け具とを接着することが考えられるが、両面粘着テープを用いると、余分なコストを要し、設置作業も面倒になる。
【０００５】
一方、いわゆる高粘着ゲル素材（エラストマー）を用いて、４０ないし５０mm角で厚さ５mm程度のマットをつくり、このマットを家具の転倒防止や各種設置物の免震固定、防振、防音用に供することが公知である（株式会社ソーゴの商品名「ゲルクッション」、有限会社ウオチ産業の商品名「ゲル・ストッパー」など）。
【０００６】
これらの高粘着性マットは、剥離性を有しながらも高粘着性を持つので、家具類の転倒防止に用いたとき有効ではある。しかし、これらの高粘着性マットは扁平板状で単に家具類の下面に敷設するだけなので、横揺れへの対応には限界がある。
【０００７】
何よりも、この種の高粘着性マットを敷設したとき、マット本体の外表面に塵埃がくっ付いて見苦しくなり、付着の塵埃が容易には拭い取れないところに問題がある。
【０００８】
そこで本考案の目的は、床面に対する家具類の確かな粘着性、クッション性を確保しながら、地震時の縦揺れはもちろんのこと、横揺れにも強い家具類のコーナー受け具を提供することにある。
【０００９】
本考案の他の目的は、受け具本体の外表面に塵埃が付着し難く、付着の塵埃も簡単に拭い取れる家具類のコーナー受け具を提供することにある。
【課題を解決するための手段】
【００１０】
請求項１記載の本考案に係る家具類の転倒防止具は、図１ないし図３に示すごとく、受け具本体１が平面視で直角三角形状のベース２と、ベース２の直交する二つの辺に沿って立ち上がる平面視で鉤型の縦壁３とを含み、ベース２および縦壁３が、高粘着性のエラストマーで一体に成形されている。
【００１１】
受け具本体１を成形する高粘着性のエラストマーとしては、オレフィン系（ＴＰＯ）、スチレン系（ＳＢＳ、ＳＩＳおよびＳＥＢＳ）、ジオレフィン系（ＲＢ）、塩化ビニル系（ＴＲＶＣ）、ウレタン系（ＴＰＵ）、エステル系（ＴＰＥＥ）、アミド系（ＴＰＡ）またはフッ素系などを使用でき、これらの中でもオレフィン系エラストマーが用いて好適である。
【００１２】
受け具本体１は、上記のようなエラストマーに粘着付与剤を配合することで、高粘着性を付与し、いわゆる高粘着ゲル素材と称されているもので成形する。この粘着付与剤としては、クマロン・インデン系樹脂、テルペン系樹脂、ロジン誘導体、フェノール・ホルムアルデヒド系樹脂、アルキルフェノール系樹脂、石油系樹脂、キシレン・ホルムアルデヒド系樹脂、ポリブテン等のオリゴマー、液状ポリイソプレンなどの液状ゴム、流動パラフィンなどを使用できる。
【００１３】
請求項２記載の本考案は、請求項１記載のコーナー受け具において、受け具本体１の縦向きの外表面に、図４に示すごとく、少なくとも前記縦壁３を覆うプラスチック・シート製の非粘着性カバー７が付設されている。「少なくとも」とは、非粘着性カバー７が受け具本体１の縦壁３だけでなくベース２の縦向き外表面も覆うよう付設されている形式を含むことを意味する。非粘着性カバー７は、縦壁３に一体にインサート成形できる（請求項３）。ここでの非粘着性カバー７は、厚さ１００μｍ以下のフィルム製も含む概念である。
【００１４】
非粘着性カバー７としては、非粘着性素材であれば特に限定されず、ポリエチレンやポリプロピレン、ポリエチレンテレフタレートなどの各種の合成樹脂を使用できる。
【００１５】
請求項４記載の本考案は、請求項１記載のコーナー受け具において、図５に示すごとく受け具本体１の縦向きの外表面に、少なくとも前記縦壁３を覆うよう鉤形に形成された硬質プラスチック製の保形部材８が不離一体に配されている。
【００１６】
保形部材８は、硬質プラスチック材の成形品であって、受け具本体１の縦壁３の型崩れを防止するために存在し、硬質であることは非粘着性であることを意味する。
【００１７】
請求項５記載の本考案は、請求項４記載のコーナー受け具において、前記保形部材８が、図６および７に示すごとく、受け具本体１の縦向きの外表面に位置する保形部材本体８ａと、保形部材本体８ａの下端につながる底板９とを含み、受け具本体１のベース２の上下厚み方向の中間に、前記底板９が位置しており、受け具本体１に保形部材８がインサート成形されている。
【考案の効果】
【００１８】
請求項１記載の本考案によれば、家具類のコーナー部は受け具本体１のベース２を介して床面に受け止められる。このとき、高粘着性を有するベース２は、同時に豊かな弾性を有するので、家具類の重みで圧縮変形を受け、ベース２の下面が床面に密着状に粘着し、家具類のコーナー部の下面がベース２の上面に密着状に粘着する。そのうえで、受け具本体１の縦壁３が、家具類のコーナー部を跨いで直交する二面に当て付けられている。
【００１９】
したがって、地震時には受け具本体１のベース２が、家具類に加わる縦方向の襲撃を弾性的に吸収しながら、家具類が受け具本体１ごと床面から浮き上がったり、家具類が受け具本体１のベース２から浮き離れたりすることを防止する。とくに、受け具本体１の縦壁３は、これ自体が弾性変形しながら家具類に加わる横（水平）方向の衝撃も吸収し、家具類が前後・左右方向に位置ズレすることもよく防止する。これら相まって、家具類の位置ズレや転倒防止に有効である。
【００２０】
請求項１記載の本案コーナー受け具は、家具類のコーナー部を限って装着するだけでよい。しかも、家具類のコーナー部を浮かしてこれに受け具本体１を外側方から挿し込み、受け具本体１の縦壁３を家具類のコーナー部に当て付けるだけで、受け具本体１は家具類に対して正しい姿勢で簡単かつ確実に装着できる。
【００２１】
請求項２記載の本考案によれば、ベース２から一体に立ち上がる縦壁３の外表面に非粘着性カバー７が付設されているので、縦壁３の外表面に塵埃が直に吸着捕捉されることはないし、非粘着性カバー７に付着の塵埃も容易に拭い取れる。非粘着性カバー７は、これを着色するなどして、受け具本体１の目に付く外表面を体裁の良いものにすることができる。。
【００２２】
請求項３記載の本考案によれば、受け具本体１に非粘着性カバー７がインサート成形で一体化されているので、安価に量産できる。受け具本体１から非粘着性カバー７が不用意に剥がれることもない。使用時に受け具本体１のベース２の圧縮変形が縦壁３に及んでも、非粘着性カバー７に皺付きを生じ難く、見栄えが良い。
【００２３】
請求項４記載の本考案によれば、使用時に受け具本体１のベース２が家具類の重みで圧縮変形し、これで縦壁３にも変形を生じがちであるが、縦壁３の外表面にはこれを覆うように保形部材８が一体に設けられているので、この保形部材８で目に付き易い縦壁３の型崩れをよく防止できる。また、保形部材８は、地震時の大きな横揺れに対して抵抗し、立ち上げた縦壁３が外側方に倒れ込んだり、コーナー部で引きちぎられたりするのも防止する。
【００２４】
請求項４記載の本考案によれば、硬質プラスチック製の保形部材８は、受け具本体１の縦壁３の外表面に配されているので、先の非粘着性カバー７と同様に縦壁３に塵埃が直に付着することはなく、保形部材８に付着の塵埃も簡単に拭い取れて、体裁良く使用できる。
【００２５】
請求項５記載の本考案に係る保形部材８は、受け具本体１の外表面に位置する保形部材本体８ａの下端に、これにつながる底板９を設け、受け具本体１のベース２内に該底板９を位置させてある。したがって、請求項５記載の本考案によれば、請求項４記載の作用効果に加えて、底板９で保形部材本体８ａをよく補強し、地震時に強い横揺れを受けたときでも、受け具本体１の縦壁３が外側方へ倒れ込んだり、そのコーナー部で引きちぎれたりすることを更に確実に防止できる。
【００２６】
請求項５記載の本考案によれば、受け具本体１に対して保形部材８が一体にインサート成形されているので、受け具本体１から保形部材８が不用意に分離することがなく、安価に量産できる。
【考案を実施するための最良の形態】
【００２７】
（実施例１）  図１ないし図３は、請求項１に対応する本考案の家具類のコーナー受け具の実施例１を示す。受け具本体１は、平面視で直角正三角形状のベース２と、ベース２の直交する二つの辺に沿って立ち上がる平面視で鉤型の縦壁３とを含む。ベース２は上下面が水平で、7.０mm厚の扁平板状に形成されている。縦壁３は、ベース２のそれと同一厚み寸法で、直交する一側壁が正方形に形成されている。ベース２の直交する各辺の長さ、およびベース２の下端から縦壁３の上端までの高さは、それぞれ４０mmに設定できる。
【００２８】
受け具本体１は、高粘着性を有するオレフィン系の半透明エラストマーで成形した。具体的にはポリプロピレンとエチレン−プロピレンゴムと高粘着剤とをブレンドした成形品である。
【００２９】
本案コーナー受け具の使用に際しては、図１に示すごとく家具の前面側左右端のコーナー部を下方から受け止めるようにセットする。具体的には、家具５の前面上端を後方の壁側に押して傾け、家具５の前面下端と床面との間に生じた隙間を利用して、家具５の左右の前側コーナー部の下面に受け具本体１を当て嵌める。このとき縦壁３は、家具５のコーナー部を跨いで前面および横側面に密着させておく。
【００３０】
次に、いったん傾けた家具５を元に戻すと、受け具本体１は全体が高粘着性を有するので、家具５の重みで受け具本体１のベース２が圧縮変形して床面に密着状態で接着する。
【００３１】
したがって、本案コーナー受け具を敷設した状態において、家具５のコーナー部は床面に受け具本体１で確りと接着されており、とくに受け具本体１のベース２上で家具５が浮き上がったり位置ズレしたりすることがない。受け具本体１の縦壁３は、地震時の横揺れを受けたとき、ベース２と共に弾性変形しながら床面上で横揺れを吸収し、家具５が前後および左右方向にズレ動くのを規制する。これらが相まって家具５が、とくに前方へ倒れ込むのを確実に防止できる。
【００３２】
家具５の配置変えをする場合、受け具本体１は剥離性を有するので、家具５から受け具本体１をいったん剥ぎ取って再装着できる。
【００３３】
（実施例２）  図４は、請求項２および請求項３に対応する本考案のコーナー受け具の実施例２を示しており、実施例１の受け具本体１のベース２および縦壁３の縦向き外表面に、プスラチック製の非粘着性カバー７が一体にインサート成形されている。具体的には、ポリプロピレン製の非粘着性カバー７を予め金型内に装填しておき、その金型内にポリプロピレンとエチレン−プロピレンゴムと粘着付与剤とをブレンドした溶融原料を射出して両者を一体にインサート成形して得た。このように、受け具本体１に非粘着性カバー７を一体に付設してあると、受け具本体１から非粘着性カバー７が不用意に分離することがなく、受け具本体１が圧縮変形を受けても、非粘着性カバー７は同調して皺付きを生じ難く、見栄えが良い。
【００３４】
実施例２のコーナー受け具によれば、外部に露出している受け具本体１のベース２と縦壁３との外表面にカ非粘着性カバー７が付設されているので、非粘着性カバー７に付着の塵埃は簡単に拭き取れる。非粘着性カバー７を着色することにより見栄えの良いものにでき、たんすなどの屋内家具に好適である。
【００３５】
（実施例３）  図５は、請求項４に対応する本案コーナー受け具の実施例３を示しており、実施例１の受け具本体１の縦向きの外表面に、これの少なくとも縦壁３を覆うよう鉤形に形成された硬質プラスチック製の保形部材８が不離一体に配されている。具体的には、受け具本体１の縦壁３の外表面に、ポリプロピレン製の保形部材８を一体にインサート成形した。すなわち、実施例３のコーナー受け具は、実施例２の非粘着性カバー７が保形部材８に代っており、先の実施例２と同様にして製造することができる。
【００３６】
実施例３の保形部材８は、非粘着性の硬質プラスチック製としたので、受け具本体１の縦壁３の外表面に塵埃が直に付着するのをよく防止できる。この保形部材８は受け具本体１よりも硬質なので、受け具本体１の特に縦壁３が外側方に向けて過度に弾性変形するのを防止し、家具類のコーナー部を安定的に受け止める働きをする。
【００３７】
（実施例４）  図６および図７は、請求項５に対応する本案コーナー受け具の実施例４を示しており、受け具本体１に実施例３と同様の保形部材８を備えている。但し、実施例４の保形部材８は、受け具本体１の縦壁３の外表面に存する鉤形の保形部材本体８ａと、保形部材本体８ａの下端につながる底板９とを含み、受け具本体１のベース２の上下厚み方向の中間に、前記底板９が位置している。すなわち実施例４の保形部材８は、実施例３の保形部材８に底板９が追加された形態を採る。
【００３８】
実施例４の保形部材８は、保形部材本体８ａが底板９で補強されている。したがって、地震時の横揺れを受けて受け具本体１の縦壁３が外側方へ過度に変形しようとするのを保形部材８でよく規制でき、家具類の位置ズレや転倒を確実に防止できる。
【００３９】
（その他の実施例）  請求例２において、非粘着性カバー７は、接着剤で受け具本体１に接着されていてもよい。
【００４０】
請求項２、３において、受け具本体１のベース２の上下厚み寸方を大きく設定するときは、非粘着性カバー７はベース２および縦壁３の縦向きの外表面にわたって配することができる。
【００４１】
請求項４において、保形部材８は、受け具本体１に接着されていてもよい。
【００４２】
本考案のコーナー受け具は、図８に示すごとく家具類の各コーナーに装着使用できることは言うまでもない。
【図面の簡単な説明】
【００４３】
【図１】実施例１のコーナー受け具のひとつの使用例を示す外観斜視図
【図２】実施例１のコーナー受け具の使用状態における要部の横断平面図
【図３】図２のＡ−Ａ線断面図
【図４】実施例２のコーナー受け具の使用状態における要部の横断平面図
【図５】実施例３のコーナー受け具の使用状態における要部の横断平面図
【図６】実施例４のコーナー受け具の使用状態における要部の横断平面図
【図７】図６のＢ−Ｂ線断面図
【図８】本案コーナー受け具の他の使用例を説明する外観斜視図
【符号の説明】
【００４４】
１  受け具本体
２  ベース
３  縦壁
７  非粘着性カバー
８  保形部材
８ａ  保形部材本体
９  保形部材の底板
【図１】
0003117256.tif 000003
【図２】
0003117256.tif 000004
【図３】
0003117256.tif 000005
【図４】
0003117256.tif 000006
【図５】
0003117256.tif 000007
【図６】
0003117256.tif 000008
【図７】
0003117256.tif 000009
【図８】
0003117256.tif 000010